(57)【要約】【課題】運転待機状態中における消費電力を低減しつつ、給湯装置内に存在する水の凍結を防止して不具合を回避することが可能な貯湯式給湯システム及び貯湯式給湯方法を提供する。【解決手段】湯水の沸き上げ終了後の運転待機状態中において、ヒートポンプ制御装置１４ａに定期的に少量の電力を供給して、外気温度センサ１４ｂに外気の温度を計測させるとともに、計測された外気の温度に応じて電力供給を行なう時間設定を変更して、湯水の凍結を防止しつつ消費電力の低減を実現する。【選択図】図３
2006162190.tif 000002
【特許請求の範囲】
【請求項１】
貯湯タンクと、
ヒートポンプサイクルで前記貯湯タンク内に湯を沸き上げるヒートポンプユニットと、
外気の温度を検知する温度検知装置と、
前記ヒートポンプユニットと前記温度検知装置との動作を制御するとともに、
前記温度検知装置が検知した外気の温度に基づいて前記ヒートポンプユニットへの電源供給を制御する制御装置とを有する
ことを特徴とする貯湯式給湯システム。
【請求項２】
前記制御装置は、
前記温度検知装置が検知した外気の温度と所定の設定温度との差に基づいて前記ヒートポンプユニットへの次回の電源供給までの時間を設定する
ことを特徴とする請求項１に記載の貯湯式給湯システム。
【請求項３】
前記制御装置を、
前記温度検知装置と前記ヒートポンプユニットとの動作を制御する第１制御装置と、
前記第１制御装置に所定の時間間隔で電源を供給し、前記温度検知装置が検知した外気の温度と所定の設定温度との比較を行い、その比較結果に基づいて前記第１制御装置への電源供給を制御する第２制御装置とで構成する
ことを特徴とする請求項１または２に記載の貯湯式給湯システム。
【請求項４】
貯湯タンクと、
ヒートポンプサイクルで前記貯湯タンク内に湯を沸き上げるヒートポンプユニットと、
外気の温度を検知する温度検知装置と、
前記ヒートポンプユニットと前記温度検知装置との動作を制御する制御装置とを備え、
湯の沸き上げ終了時、
前記制御装置は、
前記ヒートポンプユニットへの電源供給を遮断し、
沸き上げ終了時から所定時間間隔で定期的に前記温度検知装置を動作させて外気の温度を測定させ、
前記外気の温度に基づいて前記ヒートポンプユニットへの電源供給を制御する
ことを特徴とする貯湯式給湯方法。
【請求項５】
前記制御装置は、
前記温度検知装置が検知した外気の温度と所定の設定温度との差に基づいて前記ヒートポンプユニットへの次回の電源供給までの時間を設定する
ことを特徴とする請求項４に記載の貯湯式給湯方法。
【発明の詳細な説明】
【技術分野】
【０００１】
本発明は、貯湯タンクを有する貯湯式給湯システム及び貯湯式給湯方法に関するものである。
【背景技術】
【０００２】
従来、給湯装置には湯水の沸き上げを行なっていない運転待機状態中にヒートポンプユニットへの電源供給を遮断するようにしたものがある。この給湯装置は、運転待機状態中に外気温や湯水温度、平均給水温度と所定の設定温度とを比較して、通電制御器への電力の遮断、供給を制御していた（例えば、特許文献１）。
【０００３】
【特許文献１】特開２００４−１９８０４４号公報
【発明の開示】
【発明が解決しようとする課題】
【０００４】
上記の給湯装置は、通電制御器への電力供給を制御して運転待機状態中における消費電力の低減を目的とするものである。この給湯装置は、運転待機状態中における外気温や湯水温度、平均給水温度が所定の設定温度より高い場合に、これらの温度の比較回数を減らして上記目的を達成するものであった。すなわち、温度の比較回数を減らすことに伴って通電制御器への電力供給回数も減らすことが可能となり、無駄に電力を消費することなく消費電力の低減を図っていた。
【０００５】
しかしながら、温度の比較回数を減らすと、外気の急激な冷え込みに迅速に対応できないことになり、給湯装置内に存在する水が凍結してしまうことがあった。このように、給湯装置内の水が凍結してしまうと、貯湯タンクや配管等の構成部品に損傷を与えることになり、給湯装置全体が不具合を起こしてしまうという問題があった。
【０００６】
そこで、湯水の沸き上げを行なっていない運転待機状態中でも給湯装置内に存在する水を凍結させないようにする凍結防止運転を行なう必要性が生じることになった。この凍結防止運転とは、運転待機状態中において定期的にヒートポンプサイクルを稼働させて湯水の凍結を防ぎ、構成部品に損傷を与えないようにしたものである。
しかしながら、凍結防止運転の回数を多くすると、運転待機状態中においても通電制御器への電力供給を頻繁に行なうことになり、結果的に電力を多く消費することとなってしまっていた。また、凍結防止運転を行なわないようにすると、その分温度の比較回数が増加することとなり、電力を多く消費することとなってしまっていた。
【０００７】
本発明は、上記の問題を解決するためになされたもので、運転待機状態中における消費電力を低減しつつ、給湯装置内に存在する水の凍結を防止して不具合を回避することが可能な貯湯式給湯システム及び貯湯式給湯方法を提供することを目的とする。
【課題を解決するための手段】
【０００８】
本発明に係る貯湯式給湯システムは、貯湯タンクと、ヒートポンプサイクルで前記貯湯タンク内に湯を沸き上げるヒートポンプユニットと、外気の温度を検知する温度検知装置と、前記ヒートポンプユニットと前記温度検知装置との動作を制御するとともに、前記温度検知装置が検知した外気の温度に基づいて前記ヒートポンプユニットへの電源供給を制御する制御装置とを有することを特徴とする。
【０００９】
また、本発明に係る貯湯式給湯方法は、貯湯タンクと、ヒートポンプサイクルで前記貯湯タンク内に湯を沸き上げるヒートポンプユニットと、外気の温度を検知する温度検知装置と、前記ヒートポンプユニットと前記温度検知装置との動作を制御する制御装置を備え、湯の沸き上げ終了時、前記制御装置は、前記ヒートポンプユニットへの電源供給を遮断し、沸き上げ終了時から所定時間間隔で定期的に前記温度検知装置を動作させて外気の温度を測定させ、前記外気の温度に基づいて前記ヒートポンプユニットへの電源供給を制御することを特徴とする。
【発明の効果】
【００１０】
本発明による貯湯式給湯システム及び貯湯式給湯方法は、所定の間隔で繰り返し検知される外気の温度に基づいて湯の沸き上げを行なうヒートポンプユニットへの電源供給を制御するので、湯の沸き上げ終了における運転待機状態中の消費電力を低減しつつ、凍結防止運転を行なうことが可能となる。
【発明を実施するための最良の形態】
【００１１】
以下、図面に基づいて本発明の実施の形態について説明する。
図１は、本発明の実施の形態に係る貯湯式給湯システム５０の全体構成を示す概略図である。貯湯式給湯システム５０は、湯を貯えるための貯湯タンク１と、この貯湯タンク１の下部と接続されている給水配管２と、貯湯タンク１の上部と接続されている給湯配管４と、給水配管２と給湯配管４とを接続する給水バイパス管３と、給湯配管４と給水バイパス管３との間に設けられている給湯側混合弁１６と、ヒートポンプサイクルを利用して湯の沸き上げを行なうヒートポンプ本体１４と、貯湯タンク１の下部とヒートポンプ本体１４とを接続する冷水管５と、貯湯タンク１の上部とヒートポンプ本体１４とを接続する温水管６と、冷水管５と温水管６との間に設けられている循環切替弁７と、ヒートポンプ本体１４への電源供給を制御する第２制御装置であるシステム制御装置３０と、システム制御装置３０の指示を受けてヒートポンプ本体１４への電源供給の遮断、継続を行なうリレーやスイッチ等の電源遮断手段３２と、給湯側混合弁１６と接続し蛇口１８に湯水を供給するための一般給湯管１７とで構成されている。
【００１２】
貯湯タンク１は、給水配管２から給水される水と温水管６から戻される湯とを蓄えるものである。給水配管２は、貯湯タンク１に蓄える水を供給するものである。給湯配管４は、沸き上げられた湯を貯湯タンク１から一般給湯管１７に供給するものである。給水バイパス管３は、給水配管２から分岐し、給湯側混合弁１６を介して給湯配管４と接続するものである。給湯側混合弁１６は、給湯配管４と給水バイパス管３との間に設けられ、給水バイパス管３から供給される水と給湯配管４から供給される湯とを混合するものである。すなわち、給湯側混合弁１６は、図示省略の出湯温度センサや流量センサからの出湯温度や流量の検知に基づいてシステム制御装置３０から出される指示に従って湯水の温度や量を調整し、一般給湯管１７に供給するものである。
【００１３】
冷水管５は、貯湯タンク１から湯水をヒートポンプ本体１４に送るためのものである。温水管６は、ヒートポンプ本体１４で沸き上げられた湯を貯湯タンク１に戻すためのものである。冷水管５と温水管６との間に設けられている循環切替弁７は、湯水温度センサ１５で検知された湯水の温度に基づいて、所定の温度になるまで湯を循環させるものである。すなわち、循環切替弁７はヒートポンプ本体１４で沸き上げられた湯が所定の温度に達していないとき、その湯を貯湯タンク１に蓄えるのではなく、再度ヒートポンプ本体１４に供給するよう湯の流路を切り替えるようになっている。湯水温度センサ１５は、ヒートポンプ本体１４で沸き上げられた湯の温度を検知するものである。
【００１４】
ヒートポンプ本体１４は、ヒートポンプサイクルを利用して水を湯に沸き上げるヒートポンプユニット１４ｃと、外気の温度を検知する温度検知装置である外気温度センサ１４ｂと、ヒートポンプユニット１４ｃと外気温度センサ１４ｂとを制御する第１制御装置であるヒートポンプ制御装置１４ａとで構成されている。また、ヒートポンプ本体１４は送られてきた湯水をヒートポンプサイクルを利用して沸き上げるようになっている。なお、ヒートポンプ本体１４の構成については後述する。
【００１５】
操作部３１は、貯湯式給湯システム５０を使用するユーザが出湯の所望温度や沸き上げ等の各種設定を行なうものである。なお、この操作部３１は、貯湯式給湯システム５０に備えられていてもよく、貯湯式給湯システム５０の外部にあるリモコン等であってもよい。電源遮断手段３２は、システム制御装置３０の指示に基づいてヒートポンプ本体１４への電源供給を遮断、継続するものである。
【００１６】
第２制御装置であるシステム制御装置３０は、判断部３０ａと記憶部３０ｂとで構成されている。判断部３０ａは、操作部３１で設定された条件や外気温度センサ１４ｂ、湯水温度センサ１５の検知温度に基づいて貯湯式給湯システム５０全体の状況を判断するものであり、マイクロコンピュータ等で構成するとよい。記憶部３０ｂは、操作部３１で設定された条件や外気温度センサ１４ｂ、湯水温度センサ１５の検知温度を記憶しておくものであり、不揮発性メモリ等で構成するとよい。このシステム制御装置３０は、操作部３１で設定された条件や外気温度センサ１４ｂ、湯水温度センサ１５の検知温度に基づいてヒートポンプ本体１４や給湯側混合弁１６等のシステム全体を制御するものである。またシステム制御装置３０は、電気遮断手段３２を介してヒートポンプ本体１４への電源供給を制御している。
【００１７】
図２は、ヒートポンプ本体１４の内部構成を示す概略図である。ヒートポンプ本体１４は上述した通り、ヒートポンプ制御装置１４ａと外気温度センサ１４ｂとヒートポンプユニット１４ｃとで構成されている。ヒートポンプユニット１４ｃが担うヒートポンプサイクルは、圧縮機１９と、貯湯用熱交換器２０と、膨張弁２１と、室外熱交換器２２と、アキュームレータ２３とを順次冷媒配管２４により接続して構成されている。また、室外熱交換器２２に吸熱するために送風ファン２５が取り付けてある。なお、ヒートポンプ本体１４内には、ヒートポンプ本体１４で発生した熱を貯湯タンク１内の湯水と置換するため、冷水管５と温水管６とを介して湯水を循環させる図示省略の循環ポンプが設けられている。この循環ポンプは、循環させる湯水の流量を調整することができるものであることが好ましい。例えば、ＤＣポンプ等を循環ポンプとするとよい。
【００１８】
圧縮機１９は、冷媒を圧縮して高温高圧の冷媒とするものである。冷媒とは、湯温を上げるために用いる熱媒体となる物質であり、アンモニアやフロン、二酸化炭素等であればよい。貯湯用熱交換器２０は、圧縮機１９から吐出された高温高圧の冷媒と給湯用の湯水との熱交換を行い湯水の温度を上昇させるもので、冷媒が流れる冷媒通路２０ａと給湯用の湯水が流れる給湯用水通路２０ｂとを備えている。膨張弁２１は、冷媒を減圧して低温低圧の冷媒とするものである。室外熱交換器２２は、冷媒を空気から吸熱させることにより気体とするものである。アキュムレータ２３は、加熱動作中に用いられる過剰な冷媒を保存するものである。
【００１９】
次に、貯湯式給湯システム５０全体の動作について図１に基づいて説明する。
まず、給水配管２から給水された水を図示省略の減圧弁で所定の圧力に減圧し、貯湯タンク１に蓄える。この貯湯タンク１は、常に満水状態となっている。ここで、ユーザからの沸き上げ指示があったり（破線Ａ）、凍結防止運転の開始条件を満たしたりすると、システム制御装置３０が水の沸き上げ指示を電気遮断手段３２を介して（破線Ｂ）、ヒートポンプ制御装置１４ａに送信する（破線Ｃ）。
【００２０】
その指示を受けたヒートポンプ制御装置１４ａは、湯の沸き上げを行なうために貯湯タンク１に蓄えられている湯水をヒートポンプサイクル内に導くように図示省略の循環ポンプを駆動させる。この循環ポンプの運転により貯湯タンク１に蓄えられている湯水は、冷水管５を介してヒートポンプ本体１４に送られる（矢印ａ）。ヒートポンプ本体１４に送られた湯水はヒートポンプサイクルにより熱交換されて沸き上げられる。
【００２１】
沸き上げられた湯は、温水管６を介して循環切替弁７に送られる（矢印ｂ）。ここで、湯が設定された温度であるかどうかの判断される。この判断は、湯水温度センサ１５の検知した温度に基づいてシステム制御装置３０が行なう（破線Ｄ）。そして、湯が設定された温度（例えば、９０℃）に達していないときは、湯を再度ヒートポンプ本体１４に戻すように循環切替弁７に指示を出す（破線Ｅ）。一方、湯が設定した温度に達しているときは、湯を貯湯タンク１に戻すように循環切替弁７に指示を出す（破線Ｅ）。
【００２２】
指示を受けた循環切替弁７は、湯の流路を切り替える（矢印ｃ及び矢印ｄ）。すなわち、沸き上げた湯が設定温度に満たないときは、湯を再度ヒートポンプ本体１４に戻すように流路を切り替える（矢印ｃ）。一方、沸き上げた湯が設定温度以上であれば、湯を貯湯タンク１に送るように流路を切り替える（矢印ｄ）。こうして、貯湯タンク１の上部から９０℃に沸き上げられた湯が徐々に蓄えられていくようになっている。
【００２３】
この矢印ａと矢印ｂと矢印ｃとで湯水加熱循環回路を構成している。すなわち、ヒートポンプ本体１４で沸き上げられた湯は、設定された温度になるまでこの湯水加熱循環回路を経由するので、設定温度に満たないままの温度で貯湯タンク１に蓄えられないようになっている。なお、湯水温度センサ１５は、冷水管５の近傍に設けることに限定するものではなく、温水管６や循環切替弁７の近傍に設けても構わない。また、湯水温度センサ１５は１つに限定するものではなく、複数あっても構わない。
【００２４】
また、貯湯タンク１に蓄えられている湯の全量が沸き上がったかどうかの判断は、湯水温度センサ１５や貯湯タンク１近傍に設けられている図示省略の温度センサの検知した湯の温度に基づいてシステム制御装置３０が行なうようになっている。例えば、湯が９０℃以上になると、システム制御装置３０は電源遮断手段３２に指示を出し、ヒートポンプ制御装置１４ａへの電源供給を遮断する。そうすることで、湯の沸き上げが終了するようになっている。
【００２５】
設定された温度に沸き上げられた湯は、そのままの温度で出湯されたり、給水配管２から給水バイパス管３を介して送られる水と混合されて出湯されたりするようになっている。水と混合させるかどうかの判断は、操作部３１の指示に基づいて、システム制御装置３０が行なう。混合させるという判断をしたときは、その指示を給湯側混合弁１６に送る（破線Ｆ）。この給湯側混合弁１６は、貯湯タンク１からの湯と給水バイパス管３からの水を混合させて、その湯水を一般給湯管１７に供給するようになっている。
【００２６】
次に、ヒートポンプサイクルの湯の沸き上げ動作について図２に基づいて説明する。  ヒートポンプサイクルを構成する順次冷媒配管２４を循環する冷媒は、まず圧縮機１９で臨界圧力以上に圧縮されて高温・高圧の冷媒となる。この冷媒は、圧縮機１９から吐出されて貯湯用熱交換器２０内にある冷媒配管２０ａを流れる。この冷媒が、冷水管５から給湯用水通路２０ｂへ流れてきた湯水に放熱して、湯水の温度を上昇させる（沸き上げ）。温度が上昇した湯は、温水管６を流れて循環切替弁７まで送られる。
【００２７】
湯水の温度を上昇させるために放熱した冷媒は、膨張弁２１で膨張、減圧される。この冷媒は、室外熱交換器２２へ送られて、送風ファン２５によって送風される外気と熱交換して蒸発させる。そして、この蒸発させた冷媒は、アキュムレータ２３で過剰な冷媒が蓄えられて、圧縮機１９に戻る。
【００２８】
ここで凍結防止運転について説明する。
外気が低温である場合にヒートポンプサイクルを長時間停止すると、冷水管５と温水管６等の配管類及び貯湯タンク１内に存在する湯の温度が低下し、湯が凍結してしまう可能性がある。湯が凍結すると、体積が膨張し、配管類や貯湯タンク１を損傷させてしまうことになる。凍結防止運転は、このような不具合を防止するために実行させるものである。この凍結防止運転は、湯の沸き上げ終了後において定期的にヒートポンプサイクルを稼働させて湯を凍結させないようにしたものである。
【００２９】
図３は、凍結防止運転に関する処理の流れを示すフローチャートである。
まず、湯の沸き上げ終了で凍結防止運転開始条件の判断を開始する。湯の沸き上げ終了後からあらかじめ設定した所定時間ＴＯ（例えば、ここでは６０分が記憶部３０ｂに記憶されているものとする）が経過するかをシステム制御装置３０の判断部３０ａが判断する（ステップＳ１０１）。この所定時間ＴＯは、ユーザが設定してもよく、記憶部３０ｂにあらかじめ記憶されていてもよい。なお、次回以降の凍結防止運転開始条件の判断においては、以下に説明するようにして定まる所定時間ＴＯが適用される。
【００３０】
所定時間ＴＯを経過するまでは次の段階に進まず待機する（ステップＳ１０１；Ｎｏ）。所定時間ＴＯを経過すると（ステップＳ１０１；Ｙｅｓ）、システム制御装置３０は電気遮断手段３２を介してヒートポンプ制御装置１４ａに電源を供給する。電源が供給されたヒートポンプ制御装置１４ａは、外気温度センサ１４ｂを駆動して外気温度Ｔａを検知させる（ステップＳ１０２）。なお、ここでの電源供給は外気温度Ｔａを検知するための必要最小限でよく、通常数秒程度で構わない。
【００３１】
次に、ヒートポンプ制御装置１４ａは外気温度センサ１４ｂの検知した外気温度Ｔａをシステム制御装置３０に送り（図１に示す破線Ｇ）、送られた外気温度Ｔａは記憶部３０ｂに記憶される。この外気温度Ｔａと記憶部３０ｂにあらかじめ記憶されている設定温度（例えば、ここでは設定温度を４℃とし、その温度を凍結防止運転開始判断基準値とする）との比較を判断部３０ａが行なう（ステップＳ１０３）。外気温度Ｔａが設定温度以下であると（ステップＳ１０３；Ｙｅｓ）、判断部３０ａは凍結防止運転開始条件が満たされたものと判断し、凍結防止運転を開始する（ステップＳ１０４）。
【００３２】
凍結防止運転が開始されてから所定時間（例えば、ここでは１０分間）経過すると、凍結防止運転を終了する（ステップＳ１０５）。このときの外気温度Ｔａを検知して設定温度と比較する（ステップＳ１０３）。外気温度Ｔａが設定温度を超えるまで凍結防止運転を継続すると、多くの電力を消費することになってしまうので、あらかじめ設定した時間だけ凍結防止運転を行うようにするとよい。そして、外気温度Ｔａがまだ設定温度よりも低い場合には再度凍結防止運転を行なうようにするとよい。
【００３３】
外気温度Ｔａが設定温度よりも大きいと（ステップＳ１０３；Ｎｏ）、判断部３０ａはその設定温度に１℃足した温度（４℃＋１℃）と外気温度Ｔａとの比較を行なう（ステップＳ１０６）。外気温度Ｔａが、凍結防止運転開始判断基準値に比べて大きい場合でも凍結防止運転開始判断基準値に近い温度であれば、冷え込みによっては直ぐにでも凍結防止運転開始判断基準値以下になってしまうという危険性が高いものと判断することができる。そこで、所定時間ＴＯの初期設定時間を短く設定して、監視タイミングを増加し、迅速に凍結防止運転を開始できるようにして危険性を低減するようにしている。
【００３４】
すなわち、外気温度Ｔａが設定温度に１℃足した温度以下であると（ステップＳ１０６；Ｙｅｓ）、所定時間ＴＯを６０分から３０分に変更する（ステップＳ１０７）。急な冷え込みに対応するために、直ぐにでも凍結防止運転を開始できるように外気温度Ｔａの監視タイミングを多くしているのである。所定時間ＴＯが変更されると、次回からはその所定時間ＴＯに基づいて電源供給が実行される（ステップＳ１０１）。
【００３５】
外気温度Ｔａが設定温度に１℃足した温度よりも大きいと（ステップＳ１０６；Ｎｏ）、さらに判断部３０ａは設定温度に５℃足した温度（４℃＋５℃）と外気温度Ｔａとの比較を行なう（ステップＳ１０８）。外気温度Ｔａが、凍結防止運転開始判断基準値に比べてかなり大きいものであれば、直ぐに凍結防止運転開始判断基準値以下になるという危険性は低いものと判断することができる。そこで、所定時間ＴＯを初期設定時間または初期設定時間以上の長さに設定するようにしている。
【００３６】
外気温度Ｔａが設定温度に５℃足した温度以下であると（ステップＳ１０８；Ｙｅｓ）、所定時間ＴＯを６０分に変更する（ステップＳ１０９）。直ぐに凍結防止運転を行なう必要性がなくなったために初期設定時間ＴＯを元に戻して、消費電力の低減を図るようにしている。すなわち、監視タイミングを増加すると凍結に対しては迅速に対処可能であるが、その分電力を消費してしまうことになるので、凍結の危険性が低くなった場合には、所定時間ＴＯを変更して消費電力を極力低減するようにしているのである。なお、現在の所定時間ＴＯが６０分であれば変更せずにそのままであり、所定時間ＴＯが３０分に変更されていれば再度６０分に戻すように変更する。
【００３７】
外気温度Ｔａが設定温度に５℃足した温度よりも大きいと（ステップＳ１０８；Ｎｏ）、所定時間ＴＯを１２０分に変更する（ステップＳ１１０）。この場合には、凍結の危険性がかなり低いものと判断できるので、可能な限り通電回数を節約して消費電力の低減（待機電力の節約）を図ることとしている。
【００３８】
以上の動作により、外気温度に対応して、凍結防止運転の開始を判断したり監視タイミングの頻度を変更したりすることが可能であるので、湯の凍結という不具合を回避しつつ、湯の凍結の危険性が低いときは消費電力を低減する運転を実現できるようになっている。
以上、実施の形態では、外気温度と設定温度との比較を３段階に分けて行ったがこれに限定するものではなく、３段階以上に分けて比較を行なっても構わない。比較する段階が多いほど、外気に敏感に対応することが可能になる。また、比較する段階を多くすることで比較設定を細かくすることになり、電力消費の無駄を省くことが可能になる。なお、所定時間ＴＯと外気温度Ｔａとは例示したものに限定するものではなく、任意に設定することが可能である。
【図面の簡単な説明】
【００３９】
【図１】本発明の実施の形態に係る貯湯式給湯システムの構成を示す概略図である。
【図２】ヒートポンプユニットの内部構成を示す概略図である。
【図３】凍結防止運転に関する処理の流れを示すフローチャートである。
【符号の説明】
【００４０】
１  貯湯タンク、２  給水配管、３  給水バイパス管、４  給湯配管、５  冷水管、６  温水管、７  循環切替弁、１４  ヒートポンプ本体、１４ａ  ヒートポンプ制御装置（第１制御装置）、１４ｂ  外気温度センサ、１４ｃ  ヒートポンプユニット、１５  湯水温度センサ、１６  給湯側混合弁、１７  一般給湯管、１８  蛇口、１９  圧縮機、２０  貯湯用熱交換器、２０ａ  冷媒通路、２０ｂ  給湯用水通路、２１  膨張弁、２２  室外熱交換器、２３  アキュムレータ、２４  順次冷媒配管、２５  ファン、３０  システム制御装置（第２制御装置）、３０ａ  判断部、３０ｂ  記憶部、３１  操作部、３２  電源遮断手段。
【図１】
2006162190.tif 000003
【図２】
2006162190.tif 000004
【図３】
2006162190.tif 000005